【手続補正書】
【提出日】平成30年6月29日(2018.6.29)
【手続補正１】
【補正対象書類名】特許請求の範囲
【補正対象項目名】全文
【補正方法】変更
【補正の内容】
【特許請求の範囲】
【請求項１】
物品を固定する固定デバイスであって、前記固定デバイスが、
近位端部と、対向する遠位端部とを有する主軸部分と、
それ自身の前記遠位端部に前記主軸部分上の固定部分と、
前記主軸部分の前記近位端部に係合部分と、ここで、前記係合部分は実質的に円形部分を備え、
前記固定デバイスを駆動する駆動構成に前記固定デバイスを装着するための装着部材と、ここで、前記装着部材が、前記係合部分の内方に前記主軸部分まで延在し、また、前記主軸部分に前記係合部分を連結する連結部材の形態である、
を備え、
ここにおいて、前記固定部分が、中央スペースを画定する実質的に螺旋形の細長い部分である、固定デバイス。
【請求項２】
前記装着部材が、実質的に直線の部材を備える、請求項１に記載の固定デバイス。
【請求項３】
前記係合部分が、実質的に平面であり、前記装着部材が、前記係合部分と実質的に同一平面上にある、請求項１または２に記載の固定デバイス。
【請求項４】
請求項１に記載の固定デバイスと、地面に物品を保持する保持デバイスとを備える固定構成であって、前記保持デバイスが、前記主軸部分が通って延在することができる穴を画定する、第１の部分を備える、固定構成。
【請求項５】
前記固定デバイスが、前記保持デバイスに係合する係合部分を備え、ここで、前記係合部分は前記主軸部分上に設けられ、前記保持デバイスが、前記第１の部分から延在する第２の部分をさらに含む、請求項４に記載の固定構成。
【請求項６】
前記第２の部分が、スカート要素を備え、前記スカート要素が、自由縁部を有し、前記自由縁部が、使用中に前記物品の一部の上に延在するように構成された少なくとも１つの凹部を画定する、請求項５に記載の固定構成。
【請求項７】
前記スカート要素の前記自由縁部が、前記スカート要素の周りに互いに離間された複数の凹部を画定し、各々が、前記物品のそれぞれの部分を横切って延在するように構成される、請求項６に記載の固定構成。
【請求項８】
前記保持デバイスが、前記第１の部分上に互いに対向して設けられた２つの前記した第２の部分を備え、前記第１の部分が、前記２つの第２の部分間に延在する、請求項５に記載の固定構成。
【請求項９】
前記穴が、前記第１の部分によって画定された第１のスロットである、請求項８に記載の固定構成。
【請求項１０】
前記第１のスロットが、実質的に「Ｌ」形状であり、前記主軸部分が前記第１の部分の縁部を介し前記第１のスロットに受け入れられることを可能にするように、前記縁部から延在する、請求項９に記載の固定構成。
【請求項１１】
前記第１の部分が、実質的に平坦であり、前記固定デバイスが、地面上に前記保持デバイスを保持するために前記第１の部分を通って延在することができる、請求項８、９、または１０に記載の固定構成。
【請求項１２】
各第２の部分が、実質的に平坦であり、各第２の部分が、前記物品が受け入れられ得、それにより、前記保持デバイスの第１の配向において、地面から所望される距離に前記物品を保持する第２の形態を備える、請求項８から１１のいずれか一項に記載の固定構成。
【請求項１３】
前記または各第２の形態が、それぞれの前記第２の部分によって画定された第２のスロットであり、前記または各第２のスロットが、それぞれの前記第２の部分の縁部から延在する、請求項１２に記載の固定構成。
【請求項１４】
各第２の部分が、自由端部を有し、各第２のスロットが、前記縁部から前記第２の部分の自由端部に向かって延在し、それによって、前記保持デバイスが前記第１の配向にあるときに、前記固定デバイスが、地面に前記保持デバイスを、前記第２の部分が前記地面から上向きに延在するような位置において固定することができる、請求項１３に記載の固定構成。
【請求項１５】
各第２の部分が、地面刺突形態を備え、各第２の部分が、前記保持デバイスの第２の配向において地面の中に挿入され得、それによって、前記保持デバイスが前記第２の配向にあるときに、前記固定デバイスが、各第２の部分が前記地面の中に延在するような位置において、前記地面に前記保持デバイスを固定することができ、前記第１の部分が、前記第１の部分と前記地面との間の前記物品に係合することができる、請求項１２、１３、または１４に記載の固定構成。
【請求項１６】
前記第１の部分が、前記固定デバイスの前記主軸部分が通って延在することができるスパイラル領域に変形される細長い部材から形成され、前記スパイラル領域が、前記第１の部分の巻かれた領域を備える、請求項８に記載の固定構成。
【請求項１７】
各第２の部分が、自由端部を有し、各第２の部分が、前記物品を受け入れ、それにより、地面から所望される距離に前記物品を保持するフック形態を、その前記自由端部に含む、請求項８または１６に記載の固定構成。
【請求項１８】
請求項１に記載の固定デバイスと、指標デバイスとを備える指標構成であって、前記指標デバイスが、前記固定デバイスが通って延在することができる穴を画定する、指標構成。
【請求項１９】
請求項１に記載の固定デバイスと、駆動構成から前記固定デバイスに駆動力を伝達する駆動伝達デバイスとを備える固定構成。
【請求項２０】
請求項１に記載の固定デバイスを使用する方法であって、前記方法が、地面上の物品を通して前記固定部分を挿入することと、前記主軸部分を中心に前記固定デバイスを回転させることによって、前記地面の中に前記固定デバイスを打ち込むこととを備える、方法。
【請求項２１】
前記方法が、前記主軸部分が通って延在することができる第１の部分を有する保持デバイスを提供することを備え、前記地面の中に前記固定デバイスを打ち込むステップが、前記主軸部分が前記保持デバイスを通って移動するように前記固定デバイスを打ち込むことを備える、請求項２０に記載の方法。
【請求項２２】
前記保持デバイスが、自由縁部を有するスカート要素を備え、前記自由縁部が、使用中に前記物品の一部の上に延在するように構成された少なくとも１つの凹部を画定し、前記方法が、前記または各凹部が、前記物品のそれぞれの部分を横切って延在するように前記保持デバイスを配置することと、前記係合部分と前記保持デバイスの前記第１の部分との間の係合をもたらすこととを備える、請求項２１に記載の方法。
【請求項２３】
駆動伝達デバイスを提供することを備え、前記方法が、前記駆動伝達デバイスに前記固定デバイスを装着することを含み、
ここにおいて、前記駆動伝達デバイスに前記固定デバイスを装着するステップが、前記駆動構成から駆動力を伝達する位置において、前記駆動伝達デバイス上に前記固定デバイスを配置することを備える、請求項２０に記載の方法。
【請求項２４】
前記駆動伝達デバイスが、力伝達壁部を備え、前記方法が、前記固定デバイスを回転付勢し、それにより、地面の中に前記固定部分を打ち込むために前記力伝達壁部が装着部材に係合するように、前記駆動伝達デバイスを回転させることを含み、それによって、そのような回転中に、前記装着部材が、端部開口を介して凹部から抜けるために前記力伝達壁部に沿って移動する、請求項２３に記載の方法。
【請求項２５】
駆動工具から請求項１に記載の固定デバイスに駆動力を伝達する駆動伝達デバイスであって、前記駆動伝達デバイスが、前記駆動工具に前記駆動伝達デバイスを連結する連結部材と、前記固定デバイスの少なくとも一部を受け入れる受け入れ部分とを備える、駆動伝達デバイス。
【手続補正２】
【補正対象書類名】明細書
【補正対象項目名】０１１５
【補正方法】変更
【補正の内容】
【０１１５】
固定デバイス１０は、上述されたようにスパイラル領域３６６を通って配置され、地面の中にねじ込まれる。固定デバイス１０によって第２の部分３６４が地面の中に打ち込まれるとともに、係合部分２２は、地面にスパイラル領域３６６を留める。第１の部分３６２は、地面にフェンス２２８の下部領域２２６を固定するために、ワイヤ２２２の上に留められる。
ここに、出願当初の特許請求の範囲の記載事項を付記する。
［１］  物品を固定する固定デバイスであって、前記固定デバイスが、主軸部分と、前記主軸部分上の固定部分とを備え、ここにおいて、前記固定部分が、中央スペースを画定する実質的に螺旋形の細長い部分である、固定デバイス。
［２］  前記固定部分が、前記主軸部分を越えて径方向に延在する、［１］に記載の固定デバイス。
［３］  固定ピンの形態の［１］または［２］に記載の固定デバイス。
［４］  前記固定部分と前記主軸部分との組み合わせが、細長い部材を構成し、前記固定部分が、前記主軸部分と同軸である、［１］、［２］、または［３］のいずれか一項に記載の固定デバイス。
［５］  前記固定部分が、前記細長い部材の長さの小部分にわたって延在する、［４］に記載の固定デバイス。
［６］  前記主軸部分が、前記細長い部材の長さの大部分にわたって延在する、［４］または［５］に記載の固定デバイス。
［７］  前記固定デバイスが、前記主軸部分上に係合部分を備え、前記係合部分が、前記物品に係合するように構成される、［１］から［６］のいずれか一項に記載の固定デバイス。
［８］  前記固定デバイスを駆動する駆動構成に前記固定デバイスを装着するように構成された、装着部材をさらに備え、前記装着部材が、前記主軸部分に前記係合部分を連結する連結部材の形態である、［７］に記載の固定デバイス。
［９］  前記装着部材が、実質的に直線の部材を備える、［８］に記載の固定デバイス。
［１０］  前記係合部分が、実質的に平面であり、前記装着部材が、前記係合部分と実質的に同一平面上にある、［８］または［９］に記載の固定デバイス。
［１１］  前記装着部材が、前記係合部分の内方に前記主軸部分まで延在する、［１０］に記載の固定デバイス。
［１２］  前記主軸部分が、近位端部と、対向する遠位端部とを有し、前記固定部分が、前記主軸部分の前記遠位端部に設けられ、前記係合部分が、前記主軸部分の前記近位端部に設けられる、［７］から［１１］のいずれか一項に記載の固定デバイス。
［１３］  前記固定デバイスが、地面に前記物品を保持する保持部材を備え、前記保持部材が、前記係合部分上に実質的に軸方向に延在する要素を備える、［７］から［１２］のいずれか一項に記載の固定デバイス。
［１４］  前記保持部材が細長く、前記主軸部分に対し実質的に平行に延在する、［１３］に記載の固定デバイス。
［１５］  ［１］に記載の固定デバイスと、地面に物品を保持する保持デバイスとを備える固定構成であって、前記保持デバイスが、前記主軸部分が通って延在することができる穴を画定する、第１の部分を備える、固定構成。
［１６］  前記固定デバイスが、前記主軸部分上に係合部分を備え、前記保持デバイスが、前記第１の部分から延在する第２の部分をさらに含む、［１５］に記載の固定構成。
［１７］  前記係合部分が、前記保持デバイスに係合することができる、［１６］に記載の固定構成。
［１８］  前記第２の部分が、スカート要素を備える、［１６］または［１７］に記載の固定構成。
［１９］  前記第１の部分が、実質的に円形であり、前記スカート要素が、実質的に円筒形であり、前記スカート要素が、前記第１の部分の周りの実質的全体に延在する、［１８］に記載の固定構成。
［２０］  前記スカート要素が、自由縁部を有し、前記自由縁部が、使用中に前記物品の一部の上に延在するように構成された少なくとも１つの凹部を画定する、［１９］に記載の固定構成。
［２１］  前記スカート要素の前記自由縁部が、前記スカート要素の周りに互いに離間された複数の凹部を画定し、各々が、前記物品のそれぞれの部分を横切って延在するように構成される、［２０］に記載の固定構成。
［２２］  前記保持デバイスが、前記第１の部分上に互いに対向して設けられた２つの前記した第２の部分を備え、前記第１の部分が、前記２つの第２の部分間に延在する、［１５］に記載の固定構成。
［２３］  前記第２の部分が、前記第１の部分に対し実質的に直角に延在する、［２２］に記載の固定構成。
［２４］  前記第１の部分が、前記主軸が通って延在することができる第１の形態を画定する、［２２］または［２３］に記載の固定構成。
［２５］  前記第１の形態が、前記第１の部分によって画定された第１のスロットである、［２４］に記載の固定構成。
［２６］  前記第１のスロットが、実質的に「Ｌ」形状であり、前記主軸部分が前記第１の部分の縁部を介し前記第１のスロットに受け入れられることを可能にするように、前記縁部から延在する、［２５］に記載の固定構成。
［２７］  前記第１の部分が、実質的に平坦であり、前記固定デバイスが、地面上に前記保持デバイスを保持するために前記第１の部分を通って延在することができる、［２２］から［２６］のいずれか一項に記載の固定構成。
［２８］  前記または各第２の部分が、実質的に平坦であり、前記または各第２の部分が、前記物品が受け入れられ得、それにより、前記保持デバイスの第１の配向において、地面から所望される距離に前記物品を保持する第２の形態を備える、［２２］から［２７］のいずれか一項に記載の固定構成。
［２９］  前記または各第２の形態が、それぞれの前記第２の部分によって画定された第２のスロットであり、前記または各第２のスロットが、それぞれの前記第２の部分の縁部から延在する、［２８］に記載の固定構成。
［３０］  前記または各第２の部分が、自由端部を有し、前記または各第２のスロットが、前記縁部から前記第２の部分の自由端部に向かって延在し、それによって、前記保持デバイスが前記第１の配向にあるときに、前記固定デバイスが、地面に前記保持デバイスを、前記第２の部分が前記地面から上向きに延在するような位置において固定することができる、［２９］に記載の固定構成。
［３１］  前記または各第２の部分が、地面刺突形態を備え、前記または各第２の部分が、前記保持デバイスの第２の配向において地面の中に挿入され得、それによって、前記保持デバイスが前記第２の配向にあるときに、前記固定デバイスが、前記または各第２の部分が前記地面の中に延在するような位置において、前記地面に前記保持デバイスを固定することができ、前記第１の部分が、前記第１の部分と前記地面との間の前記物品に係合することができる、［２８］、［２９］、または［３０］のいずれか一項に記載の固定構成。
［３２］  前記第１の部分が、前記固定デバイスの前記主軸部分が通って延在することができるスパイラル領域を備える、［２２］から［２４］のいずれか一項に記載の固定構成。
［３３］  前記第１の部分が、前記スパイラル領域に変形される細長い部材から形成され、前記スパイラル領域が、前記第１の部分の巻かれた領域を備える、［３２］に記載の固定構成。
［３４］  前記または各第２の部分が、自由端部を有し、前記または各第２の部分が、前記物品を受け入れ、それにより、地面から所望される距離に前記物品を保持するフック形態を、その前記自由端部に含む、［２２］から［２４］、［３２］、または［３３］のいずれか一項に記載の固定構成。
［３５］  前記保持デバイスが、２つの前記第２の部分を有する場合、前記フック形態が、前記第２の部分から反対方向に延在する、［３４］に記載の固定構成。
［３６］  細長い部材から形成される、［２２］から［２４］、または、［３２］から［３５］のいずれか一項に記載の固定構成。
［３７］  ［１］に記載の固定デバイスと、指標デバイスとを備える指標構成であって、前記指標デバイスが、前記固定デバイスが通って延在することができる穴を画定する、指標構成。
［３８］  前記指標デバイスが、前記穴が画定されたベース部分と、前記ベース部分から突出する突出部分とを備え、それによって、前記固定デバイスが、地面に前記指標デバイスを固定するために前記ベース部分の前記穴を通って延在することができる、［３７］に記載の指標構成。
［３９］  前記ベース部分が、実質的に平坦および実質的に円形であり、前記突出部分が、実質的に円筒形または実質的に円錐台形である、［３８］に記載の指標構成。
［４０］  前記指標デバイスが、カップを備える、［３７］、［３８］、または［３９］のいずれか一項に記載の指標構成。
［４１］  ［１］に記載の固定デバイスと、駆動構成から前記固定デバイスに駆動力を伝達する駆動伝達デバイスとを備える固定構成。
［４２］  前記駆動伝達デバイスが、駆動工具に前記駆動伝達デバイスを連結する連結部材と、前記固定デバイスの少なくとも一部を受け入れる受け入れ部分とを備える、［４１］に記載の固定構成。
［４３］  前記固定デバイスが、前記固定デバイスを駆動する前記駆動伝達デバイスに前記固定デバイスを装着するように構成された、装着部材をさらに備え、前記受け入れ部分が、前記装着部材を受け入れるように構成される、［４２］に記載の固定構成。
［４４］  前記受け入れ部分が、前記装着部材を受け入れる凹部を画定し、前記受け入れ部分が、端部面を有し、前記凹部が、前記端部面に開口を有し、前記凹部が、前記端部面から軸方向内方に延在する、［４３］に記載の固定構成。
［４５］  前記凹部が、矩形の凹部であり、前記受け入れ部分の実質的に平行な対向する壁部によって画定され、前記凹部が、実質的に矩形の側部輪郭と、端部輪郭とを有する、［４４］に記載の固定構成。
［４６］  前記連結部材が、駆動工具のチャックに連結するために円筒形または六角形であり、円錐台形部分が、前記連結部材と前記受け入れ部分との間に延在する、［４２］から［４５］のいずれか一項に記載の固定構成。
［４７］  前記凹部が、前記受け入れ部分の前記端部面の端部開口から軸方向内方に延在し、前記凹部が、前記受け入れ部分の中央領域から前記受け入れ部分の側部の側部開口まで径方向外方に延在する、［４２］から［４５］のいずれか一項に記載の固定構成。
［４８］  前記受け入れ部分が、前記固定デバイスに係合する力伝達壁部を備え、前記力伝達壁部が、前記端部開口から軸方向に延在し、それによって、前記力伝達壁部が、前記固定デバイスに前記駆動力を伝達するために装着部材に係合することができる、［４７］に記載の固定構成。
［４９］  前記力伝達壁部が、前記受け入れ部分の中央領域から前記側部開口まで径方向外方に延在する、［４８］に記載の固定構成。
［５０］  前記力伝達壁部が、前記凹部の壁部のうちの１つである、［４８］または［４９］に記載の固定構成。
［５１］  前記受け入れ部分が、装着部材が前記凹部に受け入れられるときに前記固定デバイスを支持する、支持形態を有する、［４７］から［５０］のいずれか一項に記載の固定構成。
［５２］  前記支持形態が、支持表面を備える、［５１］に記載の固定構成。
［５３］  前記支持形態が、前記力伝達壁部に対向して設けられ、前記支持形態が、前記力伝達壁部に対し横方向に延在する、［５１］または［５２］に記載の固定構成。
［５４］  前記受け入れ部分が、前記力伝達壁部に対向する第２の壁部を備える、［５１］、［５２］、または［５３］に記載の固定構成。
［５５］  前記支持形態が、前記第２の壁部から延在し、前記支持形態が、前記第２の壁部に対し横方向に配置される、［５４］に記載の固定構成。
［５６］  前記駆動伝達デバイスが、前記受け入れ部分の上に延在するスリーブを備え、前記スリーブが、係合部分の巻き伸ばしを防止するために前記固定デバイスの前記係合部分を保持するように構成される、［４２］から［５５］のいずれか一項に記載の固定構成。
［５７］  前記スリーブが、前記駆動伝達デバイスの前記受け入れ部分によって前記固定デバイスの前記係合部分が通って受け入れられ得る、開口端部を画定し、前記スリーブが、対向端部と、前記対向端部を横切って延在するカバーとを有し、前記カバーが、前記連結部材が通って延在することができる穴を画定する、［５６］に記載の固定構成。
［５８］  ［１］に記載の固定デバイスを使用する方法であって、前記方法が、地面上の物品を通して前記固定部分を挿入することと、前記主軸部分を中心に前記固定デバイスを回転させることによって、前記地面の中に前記固定デバイスを打ち込むこととを備える、方法。
［５９］  前記物品が、浸食抑制マットを備え、前記方法が、地面に浸食抑制マットを固定する方法を備える、［５８］に記載の方法。
［６０］  前記地面の中に前記固定デバイスを打ち込むステップが、係合部分が前記物品に係合するまで継続される、［５８］または［５９］に記載の方法。
［６１］  前記方法が、前記主軸部分が通って延在することができる第１の部分を有する保持デバイスを提供することを備え、前記地面の中に前記固定デバイスを打ち込む前記ステップが、前記主軸が前記保持デバイスを通って移動するように前記固定デバイスを打ち込むことを備える、［５８］、［５９］、または［６０］のいずれか一項に記載の方法。
［６２］  前記保持デバイスが、自由縁部を有するスカート要素を備え、前記自由縁部が、使用中に前記物品の一部の上に延在するように構成された少なくとも１つの凹部を画定し、前記方法が、前記または各凹部が、前記物品のそれぞれの部分を横切って延在するように前記保持デバイスを配置することと、前記係合部分と前記保持デバイスの前記第１の部分との間の係合をもたらすこととを備える、［６１］に記載の方法。
［６３］  駆動伝達デバイスを提供することを備え、前記方法が、前記駆動伝達デバイスに前記固定デバイスを装着することを含む、［５８］に記載の方法。
［６４］  駆動構成に前記固定デバイスを装着するステップが、前記駆動構成から駆動力を伝達する位置において、前記駆動伝達デバイス上に前記固定デバイスを配置することを備える、［６３］に記載の方法。
［６５］  前記駆動伝達デバイスが、力伝達壁部を備え、前記方法が、前記固定デバイスを回転付勢し、それにより、地面の中に前記固定部分を打ち込むために前記力伝達壁部が装着部材に係合するように、前記駆動伝達デバイスを回転させることを含み、それによって、そのような回転中に、前記装着部材が、端部開口を介して凹部から抜けるために前記力伝達壁部に沿って移動する、［６４］に記載の方法。
［６６］  穴が画定されたベース部分と、前記ベース部分から突出する突出部分とを備える指標デバイスであって、ここにおいて、固定デバイスが、地面に前記指標デバイスを固定するために前記穴を通って延在することができる、指標デバイス。
［６７］  前記ベース部分が、実質的に平坦および実質的に円形であり、前記突出部分が、実質的に円筒形または実質的に円錐台形である、［６６］に記載の指標デバイス。
［６８］  カップの形態の［６６］または［６７］に記載の指標デバイス。
［６９］  ［１］に記載の固定デバイスとともに使用する保持デバイスであって、前記保持デバイスが、第１の部分と、前記第１の部分上の第２の部分とを備え、ここにおいて、前記第１の部分が、固定デバイスの主軸部分が通って延在することができる形態を画定する、保持デバイス。
［７０］  前記第２の部分が、前記第１の部分から延在するスカート要素を備え、前記スカート要素が、前記第１の部分の周りの実質的に全体に延在する、［６９］に記載の保持デバイス。
［７１］  前記第１の部分が、実質的に円形であり、前記スカート要素が、実質的に円筒形であり、前記スカート要素が、前記第１の部分の周りの実質的に全体に延在する、［７０］に記載の保持デバイス。
［７２］  前記スカート要素が、自由縁部を有し、前記自由縁部が、使用中に物品の一部の上に延在するように構成された少なくとも１つの凹部を画定する、［７０］または［７１］に記載の保持デバイス。
［７３］  前記スカート要素の前記自由縁部が、前記スカート要素の周りに互いに離間された複数の凹部を画定し、各々が、前記物品のそれぞれの部分を横切って延在するように構成される、［７２］に記載の保持デバイス。
［７４］  前記第１の部分に対し横方向に延在する２つの前記した第２の部分を備える、［６９］に記載の保持デバイス。
［７５］  前記した２つの第２の部分が、前記第１の部分上に互いに対向して設けられ、前記第１の部分が、前記２つの第２の部分を互いに連結する、［７４］に記載の保持デバイス。
［７６］  前記第２の部分が、前記第１の部分に対し実質的に直角に延在する、［７５］に記載の保持デバイス。
［７７］  前記第１の部分が、前記固定デバイスの前記主軸部分が通って延在することができる第１の形態を備える、［７４］、［７５］、または［７６］に記載の保持デバイス。
［７８］  前記第１の形態が、前記第１の部分によって画定された第１のスロットである、［７７］に記載の保持デバイス。
［７９］  前記第１のスロットが、実質的に「Ｌ」形状であり、前記主軸部分が前記第１の部分の縁部を介し前記第１のスロットに受け入れられることを可能にするように、前記縁部から延在する、［７８］に記載の保持デバイス。
［８０］  前記第１の部分が、実質的に平坦であり、前記固定デバイスの前記主軸部分が、地面上に前記保持デバイスを保持するために前記第１の部分を通って延在することができる、［７４］から［７９］のいずれか一項に記載の保持デバイス。
［８１］  各第２の部分が、実質的に平坦であり、各第２の部分が、物品が受け入れられ得、それにより、前記保持デバイスの第１の配向において、地面から所望される距離に前記物品を保持する第２の形態を画定する、［７４］から［８０］のいずれか一項に記載の保持デバイス。
［８２］  各第２の形態が、それぞれの前記第２の部分によって画定された第２のスロットであり、各第２のスロットが、それぞれの前記第２の部分の縁部から延在する、［８１］に記載の保持デバイス。
［８３］  各第２の部分が、自由端部を有し、各第２のスロットが、前記縁部から前記第２の部分の自由端部に向かって延在し、それによって、前記保持デバイスが前記第１の配向にあるときに、前記固定デバイスが、地面に前記保持デバイスを、前記第２の部分が前記地面から上向きに延在するような位置において固定することができる、［８２］に記載の保持デバイス。
［８４］  各第２の部分が、地面刺突形態を備え、各第２の部分が、前記保持デバイスの第２の配向において地面の中に挿入され得、それによって、前記保持デバイスが前記第２の配向にあるときに、前記固定デバイスが、各第２の部分が前記地面の中に延在するような位置において、前記地面に前記保持デバイスを固定することができ、前記第１の部分が、前記２つの第２の部分間にあり、前記第１の部分と前記地面との間にある物品に係合することができる、［８１］、［８２］、または［８３］のいずれか一項に記載の保持デバイス。
［８５］  前記第１の部分が、前記固定デバイスの前記主軸部分が通って延在することができるスパイラル領域を備える、［７４］から［７７］のいずれか一項に記載の保持デバイス。
［８６］  前記第１の部分が、前記スパイラル領域に変形される細長い部材から形成され、前記スパイラル領域が、前記第１の部分の巻かれた領域を備える、［８５］に記載の保持デバイス。
［８７］  各第２の部分が、自由端部を有し、各第２の部分が、物品を受け入れ、それにより、地面から所望される距離に前記物品を保持するフック形態を、その前記自由端部に含む、［７４］から［７７］、［８５］、または［８６］のいずれか一項に記載の保持デバイス。
［８８］  前記フック形態が、前記第２の部分から反対方向に延在する、［８７］に記載の保持デバイス。
［８９］  細長い部材から形成される、［８５］から［８８］のいずれか一項に記載の保持デバイス。
［９０］  駆動工具から［１］に記載の固定デバイスに駆動力を伝達する駆動伝達デバイスであって、前記駆動伝達デバイスが、前記駆動工具に前記駆動伝達デバイスを連結する連結部材と、前記固定デバイスの少なくとも一部を受け入れる受け入れ部分とを備える、駆動伝達デバイス。
［９１］  前記受け入れ部分が、前記固定デバイスの装着部材を受け入れるように構成される、［９０］に記載の駆動伝達デバイス。
［９２］  前記受け入れ部分が、前記装着部材を受け入れる凹部を画定し、前記受け入れ部分が、端部面を有し、前記凹部が、前記端部面に開口を有し、前記凹部が、前記端部面から軸方向内方に延在する、［９１］に記載の駆動伝達デバイス。
［９３］  前記凹部が、前記受け入れ部分の実質的に平行な対向する壁部によって画定され、前記凹部が、実質的に矩形の側部輪郭と、端部輪郭とを有する、［９２］に記載の駆動伝達デバイス。
［９４］  前記連結部材が、前記駆動工具のチャックに連結するために円筒形または六角形であり、円錐台形部分が、前記連結部材と前記受け入れ部分との間に延在する、［９０］から［９３］のいずれか一項に記載の駆動伝達デバイス。
［９５］  前記凹部が、前記受け入れ部分の前記端部面の端部開口から軸方向内方に延在し、前記凹部が、前記受け入れ部分の中央領域から前記受け入れ部分の側部の側部開口まで径方向外方に延在する、［９０］から［９３］のいずれか一項に記載の駆動伝達デバイス。
［９６］  前記受け入れ部分が、前記固定デバイスに係合する力伝達壁部を備え、前記力伝達壁部が、前記端部開口から軸方向に延在し、それによって、前記力伝達壁部が、前記固定デバイスに前記駆動力を伝達するために前記装着部材に係合することができる、［９５］に記載の駆動伝達デバイス。
［９７］  前記力伝達壁部が、前記受け入れ部分の中央領域から前記側部開口まで径方向外方に延在する、［９６］に記載の駆動伝達デバイス。
［９８］  前記力伝達壁部が、前記凹部の壁部のうちの１つである、［９６］または［９７］に記載の駆動伝達デバイス。
［９９］  前記受け入れ部分が、前記装着部材が前記凹部に受け入れられるときに前記固定デバイスを支持する、支持形態を有する、［９５］から［９８］のいずれか一項に記載の駆動伝達デバイス。
［１００］  前記支持形態が、支持表面を備える、［９９］に記載の駆動伝達デバイス。
［１０１］  前記支持形態が、力伝達壁部に対向して設けられ、前記支持形態が、前記力伝達壁部に対し横方向に延在する、［９９］または［１００］に記載の駆動伝達デバイス。
［１０２］  前記受け入れ部分が、力伝達壁部に対向する第２の壁部を備える、［９９］、［１００］、または［１０１］のいずれか一項に記載の駆動伝達デバイス。
［１０３］  前記支持形態が、前記第２の壁部から延在し、前記支持形態が、前記第２の壁部に対し横方向に配置される、［１０２］に記載の駆動伝達デバイス。
［１０４］  前記駆動伝達デバイスが、前記受け入れ部分の上に延在するスリーブを備え、前記スリーブが、係合部分の巻き伸ばしを防止するために前記固定デバイスの前記係合部分を保持するように構成される、［９０］から［１０３］のいずれか一項に記載の駆動伝達デバイス。
［１０５］  前記スリーブが、前記駆動伝達デバイスの前記受け入れ部分によって前記固定デバイスの前記係合部分が通って受け入れられ得る、開口端部を画定し、前記スリーブが、対向端部と、前記対向端部を横切って延在するカバーとを有し、前記カバーが、前記連結部材が通って延在することができる穴を画定する、［１０４］に記載の駆動伝達デバイス。
［１０６］  添付の図面を参照して実質的に本明細書に記載されたような固定デバイス。
［１０７］  添付の図面を参照して実質的に本明細書に記載されたような固定構成。
［１０８］  添付の図面を参照して実質的に本明細書に記載されたような保持デバイス。
［１０９］  添付の図面を参照して実質的に本明細書に記載されたような指標デバイス。